(57)【要約】【課題】光路上での障害発生を迅速に検知して装置状態に応じた画像表示を行なう画像表示装置を得ること。【解決手段】光源部１ｘから出射された光を、表示する画像の情報に応じて空間的に変調し、スクリーン部８に投影する画像表示装置において、光源部１ｘからスクリーン部８までの光伝播部３ｘ上に配設されて光伝播部３ｘを伝播する光の光量を検出するとともに、検出結果を光量検出情報として出力する光量検出部９ｘ，１０ｘと、光量検出部９ｘと光量検出部１０ｘから出力される光量検出情報を比較して光伝播部３ｘ上を伝播していく光の光量の変化を検出するとともに、検出結果を比較結果情報として出力する光量比較部５０ｘと、比較結果情報に基づいて光伝播部３ｘ上を伝播していく光の光量の変化が所定値よりも大きいことを示す場合に、スクリーン部８へ伝播させる光の光量を制御する光源制御部６０Ｐと、を備える。【選択図】        図１
2008256973.tif 000002
【特許請求の範囲】
【請求項１】
光源から出射された光を、スクリーンに表示する画像の情報に応じて空間的に変調し、前記スクリーンに投影する画像表示装置において、
前記光源から前記スクリーンまでの光路上の前段に配設されて前記光路を伝播する光の光量を検出するとともに、前記光量の検出結果を前段光量検出情報として出力する前段光量検出部と、
前記光源から前記スクリーンまでの光路上の後段に配設されて前記光路を伝播する光の光量を検出するとともに、前記光量の検出結果を後段光量検出情報として出力する後段光量検出部と、
前記前段光量検出部から出力される前段光量検出情報と前記後段光量検出部から出力される後段光量検出情報とを比較して前記光路上を伝播していく光の光量の変化を検出するとともに、この検出結果を比較結果情報として出力する光量比較部と、
前記光量比較部から出力される比較結果情報が、前記光路上を伝播していく光の光量の変化が所定値よりも大きいことを示す場合に、前記スクリーンへ伝播させる光の光量を制御する光量制御部と、
を備えることを特徴とする画像表示装置。
【請求項２】
前記光源および当該光源に対応する光路は複数からなるとともに、前記前段光量検出部は波長が異なる光を伝播させる前記光路ごとに配設されて前記光路ごとの光の光量を検出し、
前記光量比較部は、それぞれの前記前段光量検出部から出力される前段光量検出情報を用いて前記光路上を伝播していく光の光量の変化を検出することを特徴とする請求項１に記載の画像表示装置。
【請求項３】
前記光量比較部は複数からなり、
前記各光量比較部は、前記前段光量検出部ごとに前記光量の変化を検出するとともに、前記光量制御部は前記各光量比較部から出力される比較結果情報に基づいて、前記スクリーンへ伝播させる光の光量を制御することを特徴とする請求項２に記載の画像表示装置。
【請求項４】
前記各前段光量検出部から出力される前段光量検出情報を時間積分して加算するとともに加算後の前段光量検出情報を出力する加算部をさらに備え、
前記光量比較部は、前記加算部から出力される加算後の前段光量検出情報と、前記後段光量検出部から出力される後段光量検出情報と、を比較して前記光量の変化を検出することを特徴とする請求項２に記載の画像表示装置。
【請求項５】
前記複数の光路を伝播する光を白色光に合成する光合成部をさらに備え、
前記後段光量検出部は、前記光合成部と前記スクリーンまでの光路上に配設されることを特徴とする請求項２〜４のいずれか１つに記載の画像表示装置。
【請求項６】
前記光量制御部は、前記光源から出射する光の光量を減少させることによって前記スクリーンへ伝播させる光の光量を制御することを特徴とする請求項１〜５のいずれか１つに記載の画像表示装置。
【請求項７】
前記光量制御部は、前記スクリーンまでの光路上を伝播する光を遮断するシャッターを有し、
前記光量制御部は、前記シャッターを閉じることによって前記スクリーンへ伝播させる光の光量を制御することを特徴とする請求項１〜５のいずれか１つに記載の画像表示装置。
【請求項８】
前記前段光量検出部および前記後段光量検出部は、前記光源から前記スクリーンまでの光路のうちの光ファイバ上に配設されることを特徴とする請求項１〜７のいずれか１つに記載の画像表示装置。
【請求項９】
光源から出射された光を、スクリーンに表示する画像の情報に応じて空間的に変調し、前記スクリーンに投影する画像表示方法において、
前記光源から前記スクリーンまでの光路上の前段で前記光路を伝播する光の光量を検出するとともに、前記光量の検出結果を前段光量検出情報として出力する前段光量検出ステップと、
前記光源から前記スクリーンまでの光路上の後段で前記光路を伝播する光の光量を検出するとともに、前記光量の検出結果を後段光量検出情報として出力する後段光量検出ステップと、
前記前段光量検出情報と前記後段光量検出情報とを比較して前記光路上を伝播していく光の光量の変化を検出するとともに、この検出結果を比較結果情報として出力する光量比較ステップと、
前記比較結果情報が、前記光路上を伝播していく光の光量の変化が所定値よりも大きいことを示す場合に、前記スクリーンへ伝播させる光の光量を制御する光量制御ステップと、
を含むことを特徴とする画像表示方法。
【発明の詳細な説明】
【技術分野】
【０００１】
本発明は、画像表示を行なう際の光路上の障害に応じて、光路上を伝播させる光量を制御する画像表示装置および画像表示方法に関するものである。
【背景技術】
【０００２】
画像を表示する画像表示装置として、空間光変調器によって光源から出射した光を変調するとともに、変調後の光を拡大してスクリーンに投射する投射型の画像表示装置がある。投射型の画像表示装置では、光源から出射した光をレンズにて集光し、その後、光束断面内の照度を均一化している。そして、照度が均一化された光を変調した後に拡大してスクリーンに投射し画像を表示している。
【０００３】
投射型の画像表示装置は、画像投写用の空間光変調器（光変調素子）として、例えば、ＤＭＤ（Digital Micro-mirror Device）（登録商標）などのマイクロミラーデバイスを用いている。このような空間光変調器を用いて投射型の画像表示装置を構成する場合、光源から出射された光は、カラーホイールにより濾光された後、空間光変調器に照射される。空間光変調器では映像信号に応じて光を選択的に反射し、有効な光のみが投射レンズを介してスクリーンに投射される（例えば、特許文献１参照）。
【０００４】
【特許文献１】特開平９−１６３３９１号公報
【発明の開示】
【発明が解決しようとする課題】
【０００５】
上記従来の技術では、光源から光変調器までの光学系（光路）を奥行きの薄い筐体に納めようとすると、光源と光変調器を離して設置し、光源から光変調器までの光路をミラー、プリズム、光ファイバ等を用いて引き廻すことが必要になる場合がある。このような場合に、ミラー反射面の劣化や光ファイバの劣化等に起因する光路上の障害が発生すると、光変調器に所望の光量を供給できなくなり、スクリーンに表示させる画像が乱れてしまうという問題があった。
【０００６】
本発明は、上記に鑑みてなされたものであって、光路上での障害発生を迅速に検知するとともに、装置状態に応じた画像表示を行なう画像表示装置および画像表示方法を得ることを目的とする。
【課題を解決するための手段】
【０００７】
上述した課題を解決し、目的を達成するために、本発明は、光源から出射された光を、スクリーンに表示する画像の情報に応じて空間的に変調し、前記スクリーンに投影する画像表示装置において、前記光源から前記スクリーンまでの光路上の前段に配設されて前記光路を伝播する光の光量を検出するとともに、前記光量の検出結果を前段光量検出情報として出力する前段光量検出部と、前記光源から前記スクリーンまでの光路上の後段に配設されて前記光路を伝播する光の光量を検出するとともに、前記光量の検出結果を後段光量検出情報として出力する後段光量検出部と、前記前段光量検出部から出力される前段光量検出情報と前記後段光量検出部から出力される後段光量検出情報とを比較して前記光路上を伝播していく光の光量の変化を検出するとともに、この検出結果を比較結果情報として出力する光量比較部と、前記光量比較部から出力される比較結果情報が、前記光路上を伝播していく光の光量の変化が所定値よりも大きいことを示す場合に、前記スクリーンへ伝播させる光の光量を制御する光量制御部と、を備えることを特徴とする。
【発明の効果】
【０００８】
この発明によれば、光路上を伝播していく光の光量の変化が所定値よりも大きい場合に、スクリーンへ伝播させる光の光量を制御するので、光路上での障害発生を迅速に検知して装置状態に応じた画像表示を容易に行なうことが可能になるという効果を奏する。
【発明を実施するための最良の形態】
【０００９】
以下に、本発明に係る画像表示装置および画像表示方法の実施の形態を図面に基づいて詳細に説明する。なお、この実施の形態によりこの発明が限定されるものではない。
【００１０】
実施の形態１．
図１は、本発明の実施の形態１に係る画像表示装置の構成を示すブロック図である。画像表示装置１０１は、光源（光源部１ｘ）から出射した光を所定のレンズで集光した後に光束断面内の照度の均一化を行い、その後、光を空間的に変調するとともに拡大してスクリーンに投射（投影）する投射型の画像表示装置（ディスプレイ装置など）である。本実施の形態では、画像表示装置１０１の光路内を伝播する光の強度（光量）の変化に応じた光量検出信号に基づいて、光源から出射させる光量を制御（点灯の維持または消灯）する。
【００１１】
画像表示装置１０１は、画像表示に用いる光を伝播させる光学系Ａｘ、光学系Ａｘなどを制御する電気制御系Ｂｐ、光学系Ａｘを伝播する光量の変化を比較して検出する光量比較部５０ｘを有している。
【００１２】
まず、光学系Ａｘについて説明をする。本実施の形態の光学系Ａｘは、光源部１ｘ、集光レンズ部２ｘ、光伝播部３ｘ、照度均一化部４ｘ、リレーレンズ部５ｘ、光変調部６ｘ、投射レンズ部７、スクリーン部８を備えている。
【００１３】
光源部１ｘは、集光レンズ部２ｘと光伝播部３ｘを介して照度均一化部４ｘに光を送り、照度均一化部４ｘは、リレーレンズ部５ｘを介して光変調部６ｘに光を送る。光変調部６ｘは、投射レンズ部７を介してスクリーン部８に光を照射する。
【００１４】
光源部１ｘは、赤色、青色、緑色などの光を時分割で集光レンズ部２ｘ側へ順次出射する。集光レンズ部２ｘは、光源部１ｘから出射された光を並行光に整えて光伝播部３ｘ側へ送るレンズである。
【００１５】
光伝播部３ｘは、集光レンズ部２ｘと照度均一化部４ｘとの間に配置されるとともに光量検出部（前段光量検出部）９ｘと光量検出部１０（後段光量検出部）ｘを備えている。光量検出部９ｘ，１０ｘは、それぞれ光伝播部３ｘの端部に配置されている。光量検出部９ｘは、集光レンズ部２ｘの直後に配置され、光量検出部１０ｘは、照度均一化部４ｘの直前に配設されている。光伝播部３ｘの光量検出部９ｘ，１０ｘは、光量比較部５０ｘと接続されている。
【００１６】
光伝播部３ｘは、集光レンズ部２ｘを介して送られてくる光を伝播して照度均一化部４ｘに入射させる。光伝播部３ｘは、必要に応じてプリズム（図示せず）やミラー（図示せず）によって、集光レンズ部２ｘから出射した光の光路を曲げられながら空間伝播させる。
【００１７】
照度均一化部４ｘは、カレイドスコープなどのロッド型の光インテグレータであり、入射した光をロッドの側面で反射を繰り返し出射する。照度均一化部４ｘは、光伝播部３ｘからの光をリレーレンズ部５ｘ側へ出射する。
【００１８】
リレーレンズ部５ｘは、照度均一化部４ｘからの光を拡大などして、光変調部６ｘ側へ像（実像または虚像）を転送するレンズである。照度均一化部４ｘを出射した光は、リレーレンズ部５ｘを通って光変調部６ｘに入射する。
【００１９】
光変調部６ｘは、例えばＤＭＤ（Digital Micro-mirror Device）（登録商標）などの反射型光変調素子である。ＤＭＤ（登録商標）は、何十万個もの小さい傾斜ミラーのアレイを有しており、ミラーの各々は画像のうちの１つのピクセルに対して光を発生するよう構成されている。これらのミラーは、後述の光変調制御部８０Ｐから送られる信号に基づいて制御されている。光変調部６ｘから出射する光が、画像表示装置１０１に入力された映像信号を画像として表示したものとなる。
【００２０】
投射レンズ部７は、光変調部６ｘで変調された光を拡大してスクリーン部８に投射するレンズである。スクリーン部８は、投射レンズ部７によって投射された光を画像として表示する。
【００２１】
つぎに、電気制御系Ｂｐについて説明をする。電気制御系Ｂｐは、光源制御部（光量制御部）６０Ｐ、映像信号処理部７０、光変調制御部８０Ｐを有している。映像信号処理部７０は、光変調制御部８０Ｐに接続し、光変調制御部８０Ｐは、光源部１ｘと光変調部６ｘに接続している。また、光源制御部６０Ｐは、光量比較部５０ｘと光源部１ｘに接続している。
【００２２】
光源制御部６０Ｐは、光量比較部５０ｘから出力される制御信号ＣＤＬに基づいて、所定の出力電流（後述のランプ１１を点灯させるか消灯させるかを制御するための電流）を光源部１ｘへ出力する。
【００２３】
映像信号処理部７０は、外部装置から送られてくる映像信号を入力する。映像信号処理部７０は、例えばＮＴＳＣ信号を入力した場合、Ａ／Ｄコンバート、Ｙ／Ｃ分離、クロマデコード、ＩＰ変換などを行なう。
【００２４】
また、映像信号処理部７０は、映像信号を光変調部６ｘの解像度に応じたサイズに拡大する。光変調部６ｘの解像度が１９８０画素×１０８０ラインである場合、映像信号処理部７０は、映像信号が１９８０画素×１０８０ラインとなるよう映像信号を拡大処理する。
【００２５】
さらに、映像信号処理部７０は、映像信号を色変換によって赤、青、緑の形式に変換する。映像信号処理部７０は、画像処理（拡大や変換）した映像信号を光変調制御部８０Ｐに出力する。
【００２６】
光変調制御部８０Ｐは、映像信号処理部７０からの映像信号をフレームメモリに記憶する手段を有している。光変調制御部８０Ｐは、光源部１ｘから送られるタイミング信号ＣＴに基づいて、光源部１ｘから放射されている光の色を特定し、特定した色に対応する映像信号をフレームメモリから読み出して光変調部６ｘへ出力する。例えば、光源部１ｘから放射されている光が赤色である場合、光変調制御部８０Ｐは、フレームメモリから赤色の映像信号を読み出して光変調部６ｘへ出力する。
【００２７】
光量比較部５０ｘは、光伝播部３ｘ内を伝播する光の強度の変化を検出する手段である。光量比較部５０ｘは、光学系Ａｘの光量検出部９ｘ，１０ｘから出力された光量検出信号ＤＬの差分と、所定の閾値とを比較するとともに、比較結果に基づいて所定の制御信号（光源の点灯を維持させる信号または消灯させる信号）（比較結果情報）を出力する。光量比較部５０ｘからの制御信号は、電気制御系Ｂｐの光源制御部６０Ｐへ送られる。
【００２８】
つぎに、光源部１ｘの内部構成を詳細に説明する。図２は、光源部の内部構成を示す図である。光源部１ｘは、ランプ１１と、カラーホイール１２を備えている。ランプ１１は、電源から供給される電力を用いて白色光を出射する高圧水銀ランプなどである。ランプ１１から出射される光はカラーホイール１２側へ送られる。
【００２９】
カラーホイール１２は、例えば円盤状に配置されたカラーフィルタ、カラーフィルタを配置した円盤を回転させるモータなどを含んで構成されている。カラーフィルタは、例えば３原色（赤色、青色、緑色）などの複数色のフィルタで構成されている。なお、以下では、カラーフィルタが、赤色、青色、緑色の３原色で構成されている場合を例にとって説明する。
【００３０】
カラーホイール１２は、映像の垂直同期信号周期の整数倍の速さで回転するモータによって、上記カラーフィルタを配置した円盤を回転させ、ランプ１１から出射された白色光を濾波する。これにより、光源部１ｘは、赤色、青色、緑色の光を時分割で集光レンズ部２ｘ側へ順次出射する。光源部１ｘは、赤色光、青色光、緑色光のそれぞれの出射タイミングを示すタイミング信号ＣＴを光変調制御部８０Ｐに出力する。
【００３１】
つぎに、光量検出部９ｘ，１０ｘの構成を詳細に説明する。図３は、光量検出部の構成を示す図である。なお、光量検出部９ｘ，１０ｘは同様の構成を有するので、ここでは光量検出部９ｘを例にとって説明する。
【００３２】
光量検出部９ｘは、ハーフミラー１５、集光レンズ１６、フォトダイオード１７を含んで構成されている。光量検出部９ｘは、集光レンズ部２ｘから照度均一化部４ｘに伝播する光の一部を、ハーフミラー１５によって分離するとともに、分離した光を集光レンズ１６によって集め、フォトダイオード１７に照射する。フォトダイオード１７では、照射された光の強度に応じた光量検出信号ＤＬを光量比較部５０ｘに出力する。本実施の形態では、光量検出部９ｘが光量検出信号（前段光量検出情報）ＤＬ１を光量比較部５０ｘに出力し、光量検出部１０ｘが光量検出信号（後段光量検出情報）ＤＬ２を光量比較部５０ｘに出力する。
【００３３】
つぎに、照度均一化部４ｘの動作を説明する。図４は、照度均一化部の動作を説明するための図である。照度均一化部４ｘは、一方の端部（光伝播部３ｘ側）（前段）に入射面４１を有し、他方の端部（リレーレンズ部５ｘ側）（後段）に出射端面４３を有している。
【００３４】
光伝播部３ｘからの光は、光軸４２に対して所定の角度で入射面４１に入射する。この入射光は、ロッドの側面で反射を繰り返して伝播され、出射端面４３から出射される。ロッドの側面での光の反射回数は、ロッドに対する入射角度によって異なる。これにより、反射回数が異なる光がロッド内で交じり合うこととなり、出射端面４３では一様な出射光となる。この一様な出射光は、リレーレンズ部５ｘ側へ送られる。
【００３５】
つぎに、実施の形態１に係る画像表示装置１０１の光量比較部５０ｘの構成について説明する。図５は、実施の形態１に係る画像表示装置の光量比較部の構成を示す図である。光量比較部５０ｘは、Ａ／Ｄ変換部５１ａ，５１ｂ、差分演算部５２、絶対値処理部５３、差分閾値記憶部５４、比較部５５を含んで構成されている。
【００３６】
Ａ／Ｄ変換部５１ａは、光量検出部９ｘに接続し、Ａ／Ｄ変換部５１ｂは、光量検出部１０ｘに接続している。また、Ａ／Ｄ変換部５１ａ，５１ｂは、それぞれ差分演算部５２に接続し、差分演算部５２は、絶対値処理部５３に接続している。比較部５５は、絶対値処理部５３と差分閾値記憶部５４に接続している。また、比較部５５は光源制御部６０Ｐに接続している。
【００３７】
Ａ／Ｄ変換部５１ａは、光量検出部９ｘから出力された光量検出信号ＤＬ１をデジタル信号に変換して差分演算部５２に送る。Ａ／Ｄ変換部５１ｂは、光量検出部１０ｘから出力された光量検出信号ＤＬ２をデジタル信号に変換して差分演算部５２に送る。
【００３８】
差分演算部５２は、Ａ／Ｄ変換部５１ａ，５１ｂのＡ／Ｄ変換によってデジタル信号に変換された２つの光量検出信号ＤＬ１，ＤＬ２の差分量を算出し、算出した差分量を絶対値処理部５３に送る。絶対値処理部５３は、差分演算部５２からの差分量の絶対値をとって比較部５５に入力する。差分閾値記憶部５４は、差分量の閾値ＴＤＬを記憶しておくメモリなどの記憶手段である。
【００３９】
比較部５５は、差分閾値記憶部５４に予め記憶させておいた閾値ＴＤＬと、絶対値処理部５３から送られてくる光量検出信号ＤＬ１，ＤＬ２の差分量（絶対値）とを比較し、比較結果に基づいて制御信号ＣＤＬを出力する。比較部５５からの制御信号ＣＤＬは、光源制御部６０Ｐへ送られる。
【００４０】
なお、ここでは説明の便宜上、閾値ＴＤＬを差分閾値記憶部５４に予め記憶させておく場合について説明したが、マイクロコンピュータ等から比較部５５へ閾値ＴＤＬを指示してもよい。
【００４１】
ここで、比較部５５から光源制御部６０Ｐへ送られる制御信号ＣＤＬの一例について説明する。図６は、制御信号ＣＤＬの一例を説明するための図である。図６において、横軸は絶対値処理部５３から出力される差分量ａｂｓ（ＤＬ２−ＤＬ１）を示し、縦軸は比較部５５から出力される制御信号ＣＤＬを示している。
【００４２】
差分量ａｂｓ（ＤＬ２−ＤＬ１）が、閾値ＴＤＬよりも小さい場合、比較部５５から出力される制御信号ＣＤＬは「１」であり、差分量ａｂｓ（ＤＬ２−ＤＬ１）が、閾値ＴＤＬ以上の場合、比較部５５から出力される制御信号ＣＤＬは「０」である。制御信号ＣＤＬの「１」は、光源部１ｘから出射する光を制御（消灯）する必要がないことことを示す信号であり、制御信号ＣＤＬの「０」は、光源部１ｘから出射する光を制御（消灯）する必要があることを示す信号である。
【００４３】
つぎに、実施の形態１に係る画像表示装置１０１の光源制御部６０Ｐの構成について説明する。図７は、実施の形態１に係る画像表示装置の光源制御部の構成を示す図である。光源制御部６０Ｐは、電流指示値記憶部６１ｘ、定電流生成部６２ｘ、出力スイッチ６３ｘを含んで構成されている。定電流生成部６２ｘは、電流指示値記憶部６１ｘと出力スイッチ６３ｘに接続されている。出力スイッチ６３ｘは、光量比較部５０ｘと光源部１ｘに接続されている。
【００４４】
電流指示値記憶部６１ｘは、電流指示値ＡＩを記憶するメモリなどの記憶手段である。定電流生成部６２ｘは、外部から供給される電力をもとに、電流指示値記憶部６１ｘが記憶している電流指示値ＡＩに対応する電流量ＩＯを出力スイッチ６３ｘに出力する。
【００４５】
出力スイッチ６３ｘは、光量比較部５０ｘから出力された制御信号ＣＤＬに基づいて、光源部１ｘへ出力する出力電流ＩＯ’を制御する。出力スイッチ６３ｘは、制御信号ＣＤＬが「１」の場合、ＩＯ’＝ＩＯとして出力電流ＩＯ’を光源部１ｘへ出力する。これにより、光源部１ｘではランプ１１を点灯させたままの状態を維持する。出力スイッチ６３ｘは、制御信号ＣＤＬが「０」の場合、ＩＯ’＝０として出力電流ＩＯ’を光源部１ｘへ出力する。これにより、光源部１ｘではランプ１１を消灯させる。
【００４６】
つぎに、実施の形態１に係る画像表示装置１０１の動作手順について説明する。図８は、本発明の実施の形態１に係る画像表示装置の動作手順を示すフローチャートである。画像表示装置１０１において画像の表示を開始すると、光量検出部９ｘは、光伝播部３ｘの一方の端部（集光レンズ部２ｘの直後）で光の強度を検出し、光量検出部１０ｘは、光伝播部３ｘの他方の端部（照度均一化部４ｘの直前）で光の強度を検出する。
【００４７】
具体的には、光量検出部９ｘ，１０ｘは、それぞれ集光レンズ部２ｘから照度均一化部４ｘに伝播させる光（光伝播部３ｘ内を伝播する光）の一部を、ハーフミラー１５によって分離する。そして、分離した光を集光レンズ１６によって集め、フォトダイオード１７に照射する。フォトダイオード１７では、照射された光の強度に応じた光量検出信号ＤＬを光量比較部５０ｘに出力する。光量検出部９ｘは、集光レンズ部２ｘの直後で検出した光の強度に応じた光量検出信号ＤＬ１を光量比較部５０ｘに送り、光量検出部１０ｘは、照度均一化部４ｘの直前で検出した光の強度に応じた光量検出信号ＤＬ２を光量比較部５０ｘに送る（ステップＳ１１０）。
【００４８】
光量比較部５０ｘのＡ／Ｄ変換部５１ａは、光量検出部９ｘから出力された光量検出信号ＤＬ１をデジタル信号に変換して差分演算部５２に送る。光量比較部５０ｘのＡ／Ｄ変換部５１ｂは、光量検出部１０ｘから出力された光量検出信号ＤＬ２をデジタル信号に変換して差分演算部５２に送る。
【００４９】
差分演算部５２は、Ａ／Ｄ変換部５１ａ，５１ｂのＡ／Ｄ変換によってデジタル信号に変換された２つの光量検出信号ＤＬ１，ＤＬ２の差分量を算出し、算出した差分量を絶対値処理部５３に送る（ステップＳ１２０）。絶対値処理部５３は、差分演算部５２からの差分量の絶対値をとって比較部５５に入力する（ステップＳ１３０）。
【００５０】
比較部５５は、差分閾値記憶部５４に予め記憶させておいた差分量の閾値ＴＤＬと、絶対値処理部５３から送られてくる光量検出信号ＤＬ１，ＤＬ２の差分量（絶対値）とを比較する（ステップＳ１４０）。
【００５１】
光量検出信号ＤＬ１，ＤＬ２の差分量（絶対値）が、差分量の閾値ＴＤＬ以上である場合（ステップＳ１５０、Ｙｅｓ）、比較部５５は制御信号ＣＤＬ「０」を光源制御部６０Ｐへ送る（ステップＳ１６０）。
【００５２】
そして、光源制御部６０Ｐの定電流生成部６２ｘは、電流指示値記憶部６１ｘが記憶している電流指示値ＡＩに対応する電流量ＩＯを出力スイッチ６３ｘに出力する。出力スイッチ６３ｘは、光量比較部５０ｘから出力された制御信号ＣＤＬ「０」に対応する出力電流ＩＯ’（ＩＯ’＝０）を光源部１ｘへ出力する（ステップＳ１７０）。これにより、光源部１ｘのランプ１１は消灯する（ステップＳ１８０）。
【００５３】
一方、光量検出信号ＤＬ１，ＤＬ２の差分量（絶対値）が、差分量の閾値ＴＤＬよりも小さい場合（ステップＳ１５０、Ｎｏ）、比較部５５は制御信号ＣＤＬ「１」を光源制御部６０Ｐへ送る（ステップＳ１９０）。
【００５４】
そして、光源制御部６０Ｐの定電流生成部６２ｘは、電流指示値記憶部６１ｘが記憶している電流指示値ＡＩに対応する電流量ＩＯを出力スイッチ６３ｘに出力する。出力スイッチ６３ｘは、光量比較部５０ｘから出力された制御信号ＣＤＬ「１」に対応する出力電流ＩＯ’（ＩＯ’＝ＩＯ）を光源部１ｘへ出力する（ステップＳ２００）。これにより、光源部１ｘはランプ１１を点灯したままの状態を維持する（ステップＳ２１０）。
【００５５】
なお、本実施の形態では、光量検出部９ｘ，１０ｘが図３に示したようにハーフミラー１５、集光レンズ１６を備える場合について説明したが、光量検出部９ｘ，１０ｘの構成は図３の構成に限られない。
【００５６】
図９は、光量検出部の他の構成例を示す図である。なお、光量検出部９ｘ，１０ｘは同様の構成を有するので、ここでは光量検出部９ｘを例にとって説明する。図３で説明した光量検出部９ｘ，１０ｘは、光伝播部３ｘがプリズムやミラーによって光軸を曲げながら光を伝播させる場合の例であった。本実施の形態では、光伝播部３ｘに光ファイバ４５を用いてもよい。
【００５７】
光ファイバ４５は、石英ガラスやプラスチックで形成されている。光ファイバ４５は、コアと、コアを覆うクラッドとの屈折率の差を利用して、コアとクラッドの境界で光を全反射させながら光を伝送する。このとき、光ファイバ４５に働く応力等の影響によって光ファイバ４５から微弱な光が漏れ光４６として出射される。
【００５８】
図９に示す光量検出部９ｘは、光ファイバ４５からの漏れ光４６をフォトダイオード１７によって検出する。そして、フォトダイオード１７は、照射された光の強度に応じた光量検出信号ＤＬを光量比較部５０ｘに出力する。これにより、光伝播を光ファイバ４５を用いて行う場合であっても、例えば光ファイバ４５が折れた場合などに発生する光伝播の障害を検知することが可能となる。
【００５９】
また、本実施の形態では、光伝播部３ｘに２つの光量検出部９ｘ，１０ｘを配設する場合について説明したが、光伝播部３ｘに３つ以上の光量検出部を配設してもよい。また、本実施の形態では、光伝播に障害が発生した場合に、光源部１ｘを消灯させる場合について説明したが、光源部１ｘから出射する光の光量を減少させてもよい。
【００６０】
このように、光量検出部９ｘ，１０ｘが、光伝播部３ｘ内を伝播する光の強度に応じた光量検出信号ＤＬ１，ＤＬ２を出力するので、光伝播部３ｘで光伝播に障害が発生した場合に光伝播の障害を検知することが可能となる。
【００６１】
また、光伝播部３ｘで、光伝播に障害が発生した場合、ランプ１１の発光を停止させることができるので、光伝播に障害が発生した場合に、スクリーン部８に予期しない映像（画像）を表示させることを防止できる。
【００６２】
このように実施の形態１によれば、光源部１ｘから光変調部６ｘまでの光路上に複数の光量検出部９ｘ，１０ｘを配置し、光量検出部９ｘ，１０ｘが出力する光量検出信号ＤＬ１，ＤＬ２の差分量と、予め決めておいた差分量の閾値ＴＤＬとの比較結果に基づいて光伝播の障害を検出するので光路上の障害を容易に検出することが可能となる。
【００６３】
また、光量検出部９ｘ，１０ｘから出力される光量検出信号ＤＬ１，ＤＬ２の比較結果に基づいて光源部１ｘに送る出力電流ＩＯ’を制御するので、光源部１ｘから光変調部６ｘに至る光路上で不具合が発生した場合に迅速にスクリーン部８に映像を表示させなくすることが可能となる。
【００６４】
光路上の障害を検出した際に、光源部１ｘから出射する光を消灯させているので、光路上の障害が発生した場合にスクリーン部８への画像表示を確実に防止できるとともに光源部１ｘによる無駄な電力の消費を抑制することが可能となる。
【００６５】
また、光伝播部３ｘに光ファイバ４５を用いた場合であっても、光ファイバ４５の漏れ光４６をフォトダイオード１７によって検出するので、光伝播部３ｘの障害を容易に検出することが可能となる。
【００６６】
実施の形態２．
つぎに、図１０〜図１５を用いてこの発明の実施の形態２について説明する。実施の形態２では、複数の光伝播部３ａ〜３ｃが配設される場合に、光伝播の障害を検知して光量を制御する。
【００６７】
図１０は、本発明の実施の形態２に係る画像表示装置の構成を示すブロック図である。図１０の各構成要素のうち図１に示す実施の形態１の画像表示装置１０１と同一機能を達成する構成要素については同一番号を付しており、重複する説明は省略する。
【００６８】
実施の形態２に係る画像表示装置１０２は、複数個の光学系Ａａ〜Ａｃを有するとともに、これら複数の光学系Ａａ〜Ａｃで生成された映像を合成する光合成部３０を有している。換言すると、画像表示装置１０１と画像表示装置１０２との違いは、画像表示装置１０２が光源部１ｘから光変調部６ｘに至る光学系Ａａ，Ａｂ，Ａｃを複数有しており、かつ光合成部３０が画像表示装置１０１に追加されている点である。
【００６９】
図１０に示すように、画像表示装置１０２は、光学系Ａａ〜Ａｃ、光学系Ａａ〜Ａｃなどを制御する電気制御系Ｂｑ、各光学系Ａａ〜Ａｃを伝播する光量の変化を比較して検出する光量比較部５０ａ〜５０ｃ、光合成部３０、投射レンズ７、スクリーン部８を有している。光合成部３０は、光変調部６ａ〜６ｃで生成された映像を合成して投射レンズ７側に送る手段を有している。
【００７０】
実施の形態２の光学系Ａａは、光源部１ａ、集光レンズ部２ａ、光伝播部３ａ、照度均一化部４ａ、リレーレンズ部５ａ、光変調部６ａを備えている。また、光学系Ａｂは、光源部１ｂ、集光レンズ部２ｂ、光伝播部３ｂ、照度均一化部４ｂ、リレーレンズ部５ｂ、光変調部６ｂを備えている。また、光学系Ａｃは、光源部１ｃ、集光レンズ部２ｃ、光伝播部３ｃ、照度均一化部４ｃ、リレーレンズ部５ｃ、光変調部６ｃを備えている。
【００７１】
光源部１ａ〜１ｃは、光源部１ｘと同様の機能を有し、集光レンズ部２ａ〜２ｃは、集光レンズ部２ｘと同様の機能を有している。また、光伝播部３ａ〜３ｃは、光伝播部３ｘと同様の機能を有し、照度均一化部４ａ〜４ｃは、照度均一化部４ｘと同様の機能を有している。また、リレーレンズ部５ａ〜５ｃは、リレーレンズ部５ｘと同様の機能を有し、光変調部６ａ〜６ｃは光変調部６ｘと同様の機能を有している。さらに、光量比較部５０ａ〜５０ｃは、光量比較部５０ｘと同様の機能を有している。
【００７２】
電気制御系Ｂｑは、光源制御部６０Ｑ、映像信号処理部７０、光変調制御部８０Ｑを有している。光源制御部６０Ｑは、光源制御部６０Ｐと同様の機能を有しており、光量比較部５０ａ〜５０ｃに接続している。また、光変調制御部８０Ｑは、光変調制御部８０Ｐと同様の機能を有しており、光変調部６ａ〜６ｃと接続している。なお、本実施の形態では、光変調制御部８０Ｑと各光源部１ａ〜１ｃとを接続する必要はない。
【００７３】
本実施の形態では、例えば、画像表示装置１０２の光源部１ａ〜１ｃを、それぞれ光の波長が異なる赤色、青色、緑色のＬＥＤ（Light Emitting Diode）で構成しておく。光学系Ａａは赤色の光を伝播して光変調部６ａで変調し、光学系Ａｂは青色の光を伝播して光変調部６ｂで変調し、光学系Ａｃは緑色の光を伝播して光変調部６ｃで変調する。
【００７４】
つぎに、光合成部３０の構成を説明する。図１１は、光合成部の構成の一例を示す図である。光合成部３０は、ミラー３３、ハーフミラー３４、ハーフミラー３５を有している。光学系Ａａ（光変調部６ａ）から出射された赤色光はミラー３３で光軸を曲げられた後、ハーフミラー３４にて、光学系Ａｂ（光変調部６ｂ）から出射された青色光と重ね合わされる。ハーフミラー３４で生成された、赤色と青色の混合光はハーフミラー３５によって、光学系Ａｃ（光変調部６ｃ）から出射された緑色光と重ね合わされ、投射レンズ７に出射される。
【００７５】
つぎに、光源制御部６０Ｑの構成について説明する。図１２は、実施の形態２に係る光源制御部の構成を示す図である。光源制御部６０Ｑは、電流指示値記憶部６１ａ〜６１ｃ、定電流生成部６２ａ〜６２ｃ、出力スイッチ６３ａ〜６３ｃ、判定部６４を含んで構成されている。
【００７６】
光源制御部６０Ｐの構成と光源制御部６０Ｑの構成とで異なる点は、光源制御部６０Ｑが電流指示値記憶部、定電流生成部、出力スイッチを複数組み配置している点と、光量比較部５０ａ〜５０ｃの出力である制御信号ＣＤＬａ〜ＣＤＬｃを判定部６４に入力し、判定部６４の出力側を、それぞれ出力スイッチ６３ａ〜６３ｃに接続している点である。その他の構成は、図８に示した実施の形態１の光源制御部６０Ｐと同様であり、詳細な説明は省略する。
【００７７】
電流指示値記憶部６１ａ〜６１ｃは、電流指示値記憶部６１ｘと同様の機能を有している。また、定電流生成部６２ａ〜６２ｃは、定電流生成部６２ｘと同様の機能を有しており、出力スイッチ６３ａ〜６３ｃは出力スイッチ６３ｘと同様の機能を有している。
【００７８】
各出力スイッチ６３ａ〜６３ｃは、それぞれ定電流生成部６２ａ〜６２ｃと判定部６４に接続されるとともに、光源部１ａ〜１ｃに接続されている。判定部６４は、光量比較部５０ａ〜５０ｃに接続されており、光量比較部５０ａ〜５０ｃの出力である制御信号ＣＤＬａ〜ＣＤＬｃを入力する。
【００７９】
出力スイッチ６３ａは出力側が赤色の光源部１ａに接続されており、出力スイッチ６３ｂは出力側が青色の光源部１ｂに接続されており、出力スイッチ６３ｃは出力側が緑色の光源部１ｃに接続されている。各出力スイッチ６３ａ〜６３ｃは、各光源部１ａ〜１ｃのそれぞれの光源であるＬＥＤに電流を供給する。
【００８０】
例えば、光量比較部５０ａ〜５０ｃから出力される制御信号のうち、任意の１つの制御信号が「０」であった場合、判定部６４は各出力スイッチ６３ａ〜６３ｃに制御信号「０」を出力する。これにより、各出力スイッチ６３ａ〜６３ｃは、光源部１ａ〜１ｃへの電流供給を停止するので全ての光源部１ａ〜１ｃからの光が消える。
【００８１】
なお、本実施の形態では、光源部１ａ〜１ｃを、それぞれ赤色、青色、緑色のＬＥＤで構成しているので各光源部１ａ〜１ｃにおいてカラーホイールは不要となる。また、本実施の形態では、光源としてＬＥＤを用いた場合について説明したが、半導体レーザ等の他の光源を用いてもよい。この場合も光源としてＬＥＤを用いた場合と同様の効果が得られる。また、光源の数は３個に限られるものではなく、２個または４個以上の光源を用いてもよい。この場合も、光源が３個である場合と同様の効果が得られる。
【００８２】
また、本実施の形態では、光学系Ａａ〜Ａｃが、それぞれ照度均一化部４ａ〜４ｃ、リレーレンズ部５ａ〜５ｃ、光変調部６ａ〜６ｃを備えている場合について説明したが光学系Ａａ〜Ａｃを他の構成としてもよい。
【００８３】
図１３は、本発明の実施の形態２に係る画像表示装置の他の構成を示すブロック図である。図１３の各構成要素のうち図１０に示す画像表示装置１０２と同一機能を達成する構成要素や図２に示す画像表示装置１０１と同一機能を達成する構成要素については同一番号を付しており、重複する説明は省略する。
【００８４】
図１３に示すように、画像表示装置１０３は、光学系Ａａ〜Ａｃ、電気制御系Ｂｒ、光量比較部５０ａ〜５０ｃ、光合成部３０、照度均一化部４ｘ、リレーレンズ部５ｘ、光変調部６ｘ、投射レンズ７、スクリーン部８を有している。
【００８５】
そして、画像表示装置１０３の光学系Ａａを光源部１ａ、集光レンズ部２ａ、光伝播部３ａで構成し、光学系Ａｂを光源部１ｂ、集光レンズ部２ｂ、光伝播部３ｂで構成し、光学系Ａｃを光源部１ｃ、集光レンズ部２ｃ、光伝播部３ｃで構成している。
【００８６】
画像表示装置１０３では、光学系Ａａ〜Ａｃの光伝播部３ａ〜３ｃを光合成部３０に接続し、光合成部３０を照度均一化部４ｘに接続している。電気制御系Ｂｒは、光源制御部６０Ｒ、映像信号処理部７０、光変調制御部８０Ｒを有している。光変調制御部８０Ｒは、光変調制御部８０Ｐ，８０Ｑと同様の機能を有しており、光変調部６ｘと光源制御部６０Ｐに接続している。
【００８７】
画像表示装置１０３と画像表示装置１０２との違いは、画像表示装置１０３が、複数の光源から出射された光を集光レンズ２ａ〜２ｃ、光伝播部３ａ〜３ｃを経由して光合成部３０に送るとともに、この光を光合成部３０で合成して白色光にした後に、照度均一化以降の処理を行なう点と、光変調制御部８０Ｒから光源制御部６０Ｒにタイミング信号を送る点である。
【００８８】
つぎに、各光源部１ａ〜１ｃの発光タイミングについて説明する。図１４は、各光源部の発光タイミングの一例を示す図である。図１４では、１フレーム内に光源部１ａ〜１ｃがそれぞれ２回ずつ点灯する場合を示している。各光源部１ａ〜１ｃでは、垂直同期信号に基づいて、光源部１ａ、光源部１ｂ、光源部１ｃの順番で光源（ＬＥＤ）から光を発光させていく。光変調部６ｘが１つである場合、光変調部６ｘに入射させて変調を行う光は、実施の形態１の画像表示装置１０１と同様に色毎に時分割させておく。
【００８９】
換言すると、光変調部６ｘが１つであり、光源部１ａ〜１ｃが色ごとに分かれている場合、それぞれの光源部１ａ〜１ｃの発光タイミングをずらしておく必要がある。光源制御部６０Ｒは、光変調部６ｘにて光変調を行う色のタイミングに合わせて、対応する光源部１ａ〜１ｃを発光させるために、光変調制御部８０Ｒからタイミング信号をもらい、各光源部１ａ〜１ｃの制御を行う。
【００９０】
つぎに、光源制御部６０Ｒの構成について説明する。図１５は、実施の形態２に係る光源制御部の他の構成を示す図である。光源制御部６０Ｒは、電流指示値記憶部６１ａ〜６１ｃ、定電流生成部６２ａ〜６２ｃ、出力スイッチ６３ａ〜６３ｃ、判定部６４に加えて、点灯タイミング生成部６５ａ〜６５ｃを含んで構成されている。
【００９１】
光源制御部６０Ｒでは、定電流生成部６２ａ〜６２ｃが、それぞれ点灯タイミング生成部６５ａ〜６５ｃを介して出力スイッチ６３ａ〜６３ｃに接続されている。また、点灯タイミング生成部６５ａ〜６５ｃへは、光変調制御部８０Ｒから送られてくるタイミング信号ＣＴ’が入力される。
【００９２】
光源制御部６０Ｒの構成と光源制御部６０Ｑの構成とで異なる点は、光源制御部６０Ｒが光変調制御部８０Ｒから出力されるタイミング信号ＣＴ’を入力している点と、点灯タイミング生成部６５ａ〜６５ｃが配置されている点である。点灯タイミング生成部６５ａ〜６５ｃでは、光変調制御部８０Ｒから送られてくるタイミング信号ＣＴ’に基づいて定電流生成部６２ａ〜６２ｃで生成される電流の出力スイッチ６３ａ〜６３ｃ側への出力タイミングを制御する。これにより、光源部が複数で光変調部が１つの場合にも、光路上の障害を容易に検出することが可能となる。
【００９３】
なお、本実施の形態では、光伝播路３ａ〜３ｃごとに光量比較部５０ａ〜５０ｃを配設したが、１つの光量比較部に光量比較部５０ａ〜５０ｃの機能を備えさせてもよい。この場合、１つの光量比較部では光変調制御部８０Ｒから送られてくるタイミング信号ＣＴ’に基づいて、光伝播路３ａ〜３ｃの何れから光量検出信号ＤＬを受信したかを識別し、光伝播路３ａ〜３ｃごとの光路の障害を検出する。
【００９４】
このように、実施の形態２によれば、各光量比較部５０ａ〜５０ｃが、それぞれ光源部１ａ〜１ｃに対応する光路（光伝播部３ａ〜３ｃなど）の障害を検出するので、複数の光伝播部３ａ〜３ｃが配設される場合であっても、光伝播に障害が発生した場合には、光伝播の障害を容易に検知することが可能となる。
【００９５】
また、光伝播部３ａ〜３ｃで、光伝播に障害が発生した場合、全ての光源部の発光を停止させることができるので、光伝播に障害が発生した場合に、スクリーン部８に予期しない映像を表示することを防ぐことが可能となる。
【００９６】
実施の形態３．
つぎに、図１６〜図１８を用いてこの発明の実施の形態３について説明する。実施の形態３では、複数の光源１ａ〜１ｃから出射された光を白色に合成した後の光量を用いて光伝播の障害を検出する。
【００９７】
図１６は、本発明の実施の形態３に係る画像表示装置の構成を示すブロック図である。図１６の各構成要素のうち図１に示す実施の形態１の画像表示装置１０１や図１０，１３に示す実施の形態２の画像表示装置１０２，１０３と同一機能を達成する構成要素については同一番号を付しており、重複する説明は省略する。
【００９８】
実施の形態３に係る画像表示装置１０４と実施の形態２に係る画像表示装置１０３との違いは、画像表示装置１０４が光量検出部１０ｘを光合成部３０と照度均一化部４ｘとの間に配置している点と、画像表示装置１０３では複数個配置されていた光量比較部を１つに統合している点と、光量加算部９０を新たに配置している点である。
【００９９】
図１６に示すように、画像表示装置１０４は、光学系Ａａ〜Ａｃ、電気制御系Ｂｒ、光量比較部５０ｙ、光量加算部９０、光合成部３０、照度均一化部４ｘ、リレーレンズ部５ｘ、光変調部６ｘ、光量検出部１０ｘ、投射レンズ部７、スクリーン部８を有している。本実施の形態では、光伝播部３ａ〜３ｃがそれぞれ光量検出部９ａ〜９ｃを有しており、光量検出部１０ｘは光合成部３０と照度均一化部４ｘとの間（光合成部３０とスクリーン部８までの光路上）に配設されている。
【０１００】
光量加算部９０は、光量検出部９ａ〜９ｃ、光量比較部５０ｙ、光変調制御部８０Ｒに接続されている。また、光量比較部５０ｙは、光量検出部１０ｘ、光量加算部９０、光変調制御部８０Ｒ、光源制御部６０Ｒに接続されている。また、電気制御系Ｂｒの光変調制御部８０Ｒは、光変調部６ｘ、光源制御部６０Ｒ、光量比較部５０ｙ、光量加算部９０に接続している。
【０１０１】
光量加算部９０は、光量検出部９ａ〜９ｃから出力される光量検出信号ＤＬ１ａ〜ＤＬ１ｃを、光変調制御部８０Ｒから出力されるタイミング信号ＶＳに基づいて加算し、加算値ＳＤＬ１を光量比較部５０ｙへ出力する。
【０１０２】
光量比較部５０ｙは、光量加算部９０から出力された加算値ＳＤＬ１と、光量検出部１０ｘから出力された光量検出信号ＤＬ２とを比較し、比較結果に基づいて制御信号ＣＤＬを光源制御部６０Ｐに出力する。
【０１０３】
つぎに、光量加算部９０の詳細な構成について説明する。図１７は、光量加算部の内部構成を示す図である。光量加算部９０は、Ａ／Ｄ変換部９１ａ〜９１ｃ、積分部９２ａ〜９２ｃ、加算部９３を有している。積分部９２ａ〜９２ｃは、それぞれＡ／Ｄ変換部９１ａ〜９１ｃに接続されるとともに、光変調制御部８０Ｒおよび加算部９３と接続されている。また、加算部９３は、光量比較部５０ｙに接続されている。
【０１０４】
光量検出部９ａから出力された光量検出信号ＤＬ１ａは、Ａ／Ｄ変換部３６ａに入力される。同様に、光量検出部９ｂ，９ｃから出力された光量検出信号ＤＬ１ｂ，ＤＬ１ｃは、それぞれＡ／Ｄ変換部３６ｂ，３６ｃに入力される。また、光変調制御部８０Ｒから出力されるタイミング信号ＶＳは、積分部９２ａ〜９２ｃに入力される。
【０１０５】
Ａ／Ｄ変換部９１ａ〜９１ｃは、それぞれ光量検出部９ａ〜９ｃからの光量検出信号ＤＬ１ａ〜ＤＬ１ｃをデジタル化し、ＤＤＬ１ａ〜ＤＤＬ１ｃとして積分部９２ａ〜９２ｃに出力する。
【０１０６】
積分部９２ａは、光変調制御部８０Ｒから出力されるタイミング信号ＶＳの周期ごとに、デジタル化された光量検出信号ＤＤＬ１ａを時間積分して光量検出量ＩＤＬ１ａを算出し、算出した光量検出量ＩＤＬ１ａを加算部９３に出力する。同様に、積分部９２ｂ，９２ｃは、それぞれ光変調制御部８０Ｒから出力されるタイミング信号ＶＳの周期ごとに、デジタル化された光量検出信号ＤＤＬ１ｂ，ＤＤＬ１ｃを時間積分して光量検出量ＩＤＬ１ｂ，ＩＤＬ１ｃを算出し、算出した光量検出量ＩＤＬ１ｂ，ＩＤＬ１ｃを加算部９３に出力する。
【０１０７】
加算部９３は、積分部９２ａ〜９２ｃで時間積分された光量検出量ＩＤＬ１ａ〜ＩＤＬ１ｃを加算して光量検出量ＳＤＬ１を算出し、算出した光量検出量ＳＤＬ１を光量比較部５０ｙに出力する。
【０１０８】
つぎに、実施の形態３に係る画像表示装置１０４の光量比較部５０ｙの構成について説明する。図１８は、実施の形態３に係る画像表示装置の光量比較部の構成を示す図である。図１８の各構成要素のうち図５に示す実施の形態１の光量比較部５０ｘと同一機能を達成する構成要素については同一番号を付しており、重複する説明は省略する。
【０１０９】
光量比較部５０ｙは、Ａ／Ｄ変換部５１ｂ、積分部５６、差分演算部５２、絶対値処理部５３、差分閾値記憶部５４、比較部５５を含んで構成されている。差分演算部５２は光量加算部９０（加算部９３）に接続し、Ａ／Ｄ変換部５１ｂは光量検出部１０ｘに接続し、積分部５６は光変調制御部８０Ｒに接続している。また、Ａ／Ｄ変換部５１ｂは積分部５６に接続し、積分部５６は差分演算部５２に接続している。
【０１１０】
図５に示した光量比較部５０ｘと光量比較部５０ｙとの違いは、光量比較部５０ｙがＡ／Ｄ変換部５１ｂを１つしか有していない点と、積分部５６が１つ追加されている点である。
【０１１１】
光量検出部１０ｘから出力された光量検出信号ＤＬ２は、Ａ／Ｄ変換部５１ｂに入力される。また、光量加算部９０から出力された光量検出量ＳＤＬ１は、差分演算部５２に入力される。
【０１１２】
Ａ／Ｄ変換部５１ｂは、光量検出信号ＤＬ２をデジタル化し、光量検出信号ＤＤＬ２として積分部５６に出力する。積分部５６は、光変調制御部８０Ｒから出力されるタイミング信号ＶＳの周期ごとに、デジタル化された光量検出信号ＤＤＬ２を時間積分して光量検出量ＩＤＬ２を算出し、光量検出量ＩＤＬ２を差分演算部５２に出力する。
【０１１３】
差分演算部５２は、積分部５６からの光量検出量ＩＤＬ２と、光量加算部９０からの光量検出量ＳＤＬ１との差分量を算出し、算出した差分量を絶対値処理部５３に送る。絶対値処理部５３は、差分演算部５２からの差分量の絶対値をとって比較部５５に入力する。
【０１１４】
なお、本実施の形態では、光量検出部１０ｘを光合成部３０と照度均一化部４ｘの間に配置する場合について説明をしたが、光合成部３０から光変調部６ｘの間であれば、光量検出部１０ｘを何れの位置に配置してもよい。例えば、リレーレンズ部５ｘと光変調部６ｘの間に光量検出部１０ｘを配置してもよい。この場合も、光量検出部１０ｘを光合成部３０と照度均一化部４ｘの間に配置した場合と同様の効果が得られる。また、光量検出部９ａ〜９ｃを光伝播路３ａ〜３ｃ上の何れの位置に配設してもよい。
【０１１５】
また、本実施の形態では、光路上に光量検出部１０ｘが１つだけ配設された場合について説明したが、図１０や図１３に示した実施の形態２の画像表示装置１０２，１０３のように光路上に複数の光量検出部１０ａ〜１０ｃが配設される場合には、複数の光量検出部１０ａ〜１０ｃから出力される光量検出信号を光変調制御部８０Ｒから出力されるタイミング信号ＶＳに基づいて加算し、加算値を光量比較部５０ｙへ出力してもよい。
【０１１６】
このように、実施の形態３によれば、複数箇所で検出した光量検出量を、光変調部６ｘを制御するタイミングに応じて時間積分した後に比較しているので、複数の光源部１ａ〜１ｃが時分割で点灯するとともに１つ光変調部６ｘが配設される場合であっても、光伝播に障害が発生した際に光伝播の障害を容易に検知することが可能となる。
【０１１７】
また、光伝播部３ａ〜３ｃで光伝播に障害が発生した場合、全ての光源部１ａ〜１ｃの発光を停止させることができるので、光伝播に障害が発生した場合にスクリーン部８に予期しない映像を表示することを防ぐことが可能となる。
【０１１８】
また、複数の光源部１ａ〜１ｃから光合成部３０に至る光路上に配置された複数の光量検出部９ａ〜９ｃの出力を光量加算部９０で加算した結果と、複数の光源１ａ〜１ｃから出射された光を光合成部３０で白色に合成した後の光量を光量検出部１０ｘで検出した結果と、を光量比較部５０ｙで比較するので、設置する光量検出部の数および光量比較部の数を少なくすることが可能となる。したがって、簡易な構成で容易に光伝播の障害を検知することが可能となる。
【０１１９】
また、光量検出部１０ｘを光合成部３０よりも照度均一化部４ｘ側に設置しているので、光合成部３０から照度均一化部４ｘまでの区間を含めた光路上の障害を検出することが可能となる。
【０１２０】
実施の形態４．
つぎに、図１９および図２０を用いてこの発明の実施の形態４について説明する。実施の形態４では、光伝播に障害が発生した場合に光源部１ｘから出射される光をシャッターで遮蔽する。
【０１２１】
図１９は、本発明の実施の形態４に係る画像表示装置の構成を示すブロック図である。図１９の各構成要素のうち図１に示す実施の形態１の画像表示装置１０１と同一機能を達成する構成要素については同一番号を付しており、重複する説明は省略する。
【０１２２】
実施の形態４に係る画像表示装置１０５は、光学系Ａｙ、電気制御系Ｂｓ、光量比較部５０ｘを有している。光学系Ａｙは、光源部１ｘ、集光レンズ部２ｘ、光伝播部３ｘ、照度均一化部４ｘ、リレーレンズ部５ｘ、光変調部６ｘ、投射レンズ部７、スクリーン部８に加えて、シャッター部４０を備えている。本実施の形態では、光源部１ｘは、集光レンズ部２ｘ、シャッター部４０、光伝播部３ｘを介して照度均一化部４ｘに光を送る。
【０１２３】
電気制御系Ｂｓは、光源制御部６０Ｓ、映像信号処理部７０、光変調制御部８０Ｐを有している。光源制御部６０Ｓは、光源部１ｘに接続し、光変調制御部８０Ｐは光源部１ｘと光変調部６ｘに接続している。また、光量比較部５０ｘは、光量検出部９ｘ，１０ｘ、シャッター部４０と接続している。
【０１２４】
実施の形態４に係る画像表示装置１０５と実施の形態１に係る画像表示装置１０１との違いは、画像表示装置１０５が集光レンズ部２ｘの直後（集光レンズ部２ｘと光伝播部３ｘの間）（光伝播部３ｘの初め）にシャッター部４０を配設している点である。
【０１２５】
シャッター部４０は、光を遮断するシャッターを備えて構成されている。シャッターが開いている場合は、光源部１ｘを出射した光を光伝播部３ｘに通過させ、シャッターが閉じている場合は、光源部１ｘを出射した光を遮断して光伝播部３ｘに光を送らない。本実施の形態では、シャッター部４０は、光量検出部９ｘ，１０ｘから出力される制御信号ＣＤＬに基づいて、シャッターの開閉を制御する。
【０１２６】
ここで、実施の形態４に係る画像表示装置１０５の光源制御部６０Ｓの詳細構成について説明する。図２０は、実施の形態４に係る画像表示装置の光源制御部の構成を示す図である。画像表示装置１０５の光源制御部６０Ｓは、電流指示値記憶部６１ｘと定電流生成部６２ｘを含んで構成されている。
【０１２７】
電流指示値記憶部６１ｘは、電流指示値ＡＩを記憶するメモリなどの記憶手段であり、定電流生成部６２ｘに接続されている。定電流生成部６２ｘは、外部から供給される電力をもとに、電流指示値記憶部６１ｘが記憶している電流指示値ＡＩに対応する電流量ＩＯを光源部１ｘに出力する。
【０１２８】
つぎに、実施の形態４に係る画像表示装置１０５の動作手順について説明する。なお、実施の形態１で説明した画像表示装置１０１の動作手順と同様の手順については、その説明を省略する。
【０１２９】
光源部１ｘから出射された光は、集光レンズ部２ｃを通ってシャッター部４０に入射する。シャッター部４０では、光量検出部９ｘ，１０ｘから出力される制御信号ＣＤＬに基づいて、シャッターの開閉を制御する。具体的には、光量比較部５０ｘからの制御信号ＣＤＬが「１」の場合は、シャッターを開けておき、制御信号ＣＤＬが「０」の場合はシャッターを閉じる。
【０１３０】
制御信号ＣＤＬが「１」の場合、シャッター部４０のシャッターが開いているので、光源部１ｘを出射した光は、シャッター部４０から光伝播部３ｘを経て照度均一化部４ｘに入射する。
【０１３１】
一方、制御信号ＣＤＬが「０」の場合、シャッター部４０のシャッターが閉ざされるので、光源部１ｘを出射した光は、シャッター部４０で遮られ、光伝播部３ｘへは送られない。
【０１３２】
なお、本実施の形態では、光源に光源部１ｘ（ランプ１１とカラーホイール１２を用いた光源部）た場合を一例として説明したが、シャッター部４０を用いて光を遮蔽する方法を、実施の形態２や実施の形態３で説明したような光源部１ａ〜１ｃ（複数のＬＥＤやレーザの光源）を用いた場合に適用してもよい。
【０１３３】
このように、実施の形態４によれば、光伝播に障害が発生した場合に光源部１ｘから出射される光をシャッター部４０で遮蔽するので、光伝播に障害が発生した場合に光源部１ｘから出射される光を容易かつ確実に遮断でき、スクリーン部８に予期しない映像を表示することを防ぐことが可能となる。
【産業上の利用可能性】
【０１３４】
以上のように、本発明に係る画像表示装置および画像表示方法は、画像表示を行なう際の光路上の障害に応じた光量の制御に適している。
【図面の簡単な説明】
【０１３５】
【図１】実施の形態１に係る画像表示装置の構成を示すブロック図である。
【図２】光源部の内部構成を示す図である。
【図３】光量検出部の構成を示す図である。
【図４】照度均一化部の動作を説明するための図である。
【図５】実施の形態１に係る画像表示装置の光量比較部の構成を示す図である。
【図６】制御信号ＣＤＬの一例を説明するための図である。
【図７】実施の形態１に係る画像表示装置の光源制御部の構成を示す図である。
【図８】実施の形態１に係る画像表示装置の動作手順を示すフローチャートである。
【図９】光量検出部の他の構成例を示す図である。
【図１０】実施の形態２に係る画像表示装置の構成を示すブロック図である。
【図１１】光合成部の構成の一例を示す図である。
【図１２】実施の形態２に係る光源制御部の構成を示す図である。
【図１３】実施の形態２に係る画像表示装置の他の構成を示すブロック図である。
【図１４】各光源部の発光タイミングの一例を示す図である。
【図１５】実施の形態２に係る光源制御部の他の構成を示す図である。
【図１６】実施の形態３に係る画像表示装置の構成を示すブロック図である。
【図１７】光量加算部の内部構成を示す図である。
【図１８】実施の形態３に係る画像表示装置の光量比較部の構成を示す図である。
【図１９】実施の形態４に係る画像表示装置の構成を示すブロック図である。
【図２０】実施の形態４に係る画像表示装置の光源制御部の構成を示す図である。
【符号の説明】
【０１３６】
１ａ〜１ｃ，１ｘ  光源部
２ａ〜２ｃ，２ｘ，１６  集光レンズ部
３ａ〜３ｃ，３ｘ  光伝播部
４ａ〜４ｃ，４ｘ  照度均一化部
５ａ〜５ｃ，５ｘ  リレーレンズ部
６ａ〜６ｃ，６ｘ  光変調部
７  投射レンズ部
８  スクリーン部
９ａ〜９ｃ，９ｘ，１０ｘ  光量検出部
１１  ランプ
１２  カラーホイール
１５，３４，３５，９１  ハーフミラー
１７  フォトダイオード
３０  光合成部
３３  ミラー
３６ａ〜３６ｃ，５１ａ，５１ｂ，９１ａ〜９１ｃ  Ａ／Ｄ変換部
４０  シャッター部
４１  入射面
４２  光軸
４３  出射端面
４５  光ファイバ
４６  漏れ光
５０ａ〜５０ｃ，５０ｘ，５０ｙ  光量比較部
５２  差分演算部
５３  絶対値処理部
５４  差分閾値記憶部
５５  比較部
５６  積分部
６０Ｐ〜６０Ｓ  光源制御部
６１ａ〜６１ｃ，６１ｘ  電流指示値記憶部
６２ａ〜６２ｃ，６２ｘ  定電流生成部
６３ａ〜６３ｃ，６３ｘ  出力スイッチ
６４  判定部
６５ａ〜６５ｃ  点灯タイミング生成部
７０  映像信号処理部
８０Ｐ〜８０Ｒ  光変調制御部
９０  光量加算部
９２ａ〜９２ｃ  積分部
９３  加算部
１０１〜１０５  画像表示装置
Ａａ〜Ａｃ，Ａｘ，Ａｙ  光学系
Ｂｐ〜Ｂｓ  電気制御系
【図１】
2008256973.tif 000003
【図２】
2008256973.tif 000004
【図３】
2008256973.tif 000005
【図４】
2008256973.tif 000006
【図５】
2008256973.tif 000007
【図６】
2008256973.tif 000008
【図７】
2008256973.tif 000009
【図８】
2008256973.tif 000010
【図９】
2008256973.tif 000011
【図１０】
2008256973.tif 000012
【図１１】
2008256973.tif 000013
【図１２】
2008256973.tif 000014
【図１３】
2008256973.tif 000015
【図１４】
2008256973.tif 000016
【図１５】
2008256973.tif 000017
【図１６】
2008256973.tif 000018
【図１７】
2008256973.tif 000019
【図１８】
2008256973.tif 000020
【図１９】
2008256973.tif 000021
【図２０】
2008256973.tif 000022